(57)【要約】【課題】軽量、薄型でありながら、壁面に施工しても植物の乾燥や水勾配による枯死や水が溜まることによる根腐れなどを起こすことなく良好な保水性を発現することができ、植物を良好な状態で維持することができる壁面緑化パネルが望まれていた。【解決手段】本発明に係る壁面緑化パネルは、上部に水または／および養液を供給するための供給口と、正面に植物を植えるための複数の植栽空間を設けた壁面緑化パネルであって、植栽空間には、上部に水または／および養液を植栽空間内に導入するために導入口を設けるとともに、下部に水または／および養液を貯留するための貯留部と、貯留部からオーバーフローする水または／および養液を排出するために放出口を設け、さらに、供給口と植栽空間の内の一の植栽空間の導入口を繋ぐ第１配水経路と、植栽空間の放出口と他の植栽空間の導入口とを繋ぐ第２配水経路を設けたものであることを特徴とする。【選択図】図１
2019083824.tif 000002
【特許請求の範囲】
【請求項１】
上部に水または／および養液を供給するための供給口と、正面に植物を植えるための複数の植栽空間を設けた壁面緑化パネルであって、
前記植栽空間には、
上部に水または／および養液を前記植栽空間内に導入するために導入口を設けるとともに、
下部に水または／および養液を貯留するための貯留部と、前記貯留部からオーバーフローする水または／および養液を排出するために放出口を設け、
さらに、
前記供給口と前記植栽空間の内の一の植栽空間の導入口を繋ぐ第１配水経路と、
前記植栽空間の放出口と他の前記植栽空間の導入口とを繋ぐ第２配水経路を設けたものであることを特徴とする壁面緑化パネル。
【請求項２】
前記植栽空間を、
上下方向に多段に配置したことを特徴とする請求項１に記載の壁面緑化パネル。
【請求項３】
前記植栽空間に、
通風孔を設けたことを特徴とする請求項１または請求項２に記載の壁面緑化パネル。
【請求項４】
上部に、
灌水ホースを設置する溝部を設けたことを特徴とする請求項１から請求項３のいずれか一
項に記載の壁面緑化パネル。
【請求項５】
さらに、
前記植栽空間内に敷設し、かつ一部を前記貯留部内に挿入するように配置した培地を備えることを特徴とする請求項１から請求項４のいずれか一項に記載の壁面緑化パネル。
【請求項６】
前記培地は、
前記植栽空間内において、前記導入口と前記貯留部との間に渡って敷設されていることを特徴とする請求項１から請求項５のいずれか一項に記載の壁面緑化パネル。
【請求項７】
前記培地を、
前記貯留部の開口を覆うように配置したことを特徴とする請求項１から請求項６のいずれか一項に記載の壁面緑化パネル。
【請求項８】
前記培地は、
通気性シートと吸水性シートの積層物であり、
前記吸水性シートを内層に配置したものであることを特徴とする請求項１から請求項７のいずれか一項に記載の壁面緑化パネル。
【請求項９】
前記培地の植物を植える部分に位置する吸水性シートを露出させたことを特徴とする請求項８に記載の壁面緑化パネル。
【発明の詳細な説明】
【技術分野】
【０００１】
本発明は、壁面緑化に用いるパネル材に関するものであり、詳しくは軽量、薄型でありながら、壁面に施工しても、植物の乾燥・水勾配による枯死・水が溜まることによる根腐れなどを起こすことなく良好な保水性を発現することができ、植物を良好な状態で維持することができる壁面緑化パネルに関するものである。
また、水やりの頻度を少なくすることができる壁面緑化パネルに関するものである。
さらに、施工中および施工後における土壌の飛散やパネル間における水漏れなど、従前の壁面緑化パネルにおいて発生する各種のトラブルを防止することができる壁面緑化パネルに関するものである。
【背景技術】
【０００２】
従前から壁面緑化を行うための装置やこのような壁面緑化装置に用いられる部材が各種開発されている。
ここで、壁面緑化を行う際には、どうしても水が上方から下方に流れる水勾配が生じることから、緑化装置の上部は乾燥し易く、逆に緑化装置の下部は水が溜まり易くなってしまうという課題がある。
また、壁面緑化装置やこのような装置に用いられる部材には、壁面に対する負荷を軽減するために軽量化・薄型化が要求されるが、軽量化・薄型化を実現しようとすると水勾配が生じ易くなってしまうという課題がある。
【０００３】
例えば、特許文献１には、２枚の保水材（内側保水材１２２と外側保水材１２６）の間に樹脂製のネットである第一鋼材１２４を挟んだ保水部材１２０を、パネル材１１０とともに壁面に施工し、外側保水材１２６の一部に切れ目を入れて外側保水材１２６を突出させることで植物を植える部分を設けた壁面緑化構造が開示されている（特許文献１の図１参照）。
【０００４】
また、特許文献２には、培土基盤２１を備えた培土パネル２０の上方に灌水チューブ２５を設けることによって灌水を培土基盤２１に供給し、培土基盤２１からの排水を培土パネル２０の下部に設けた排水ヒモ２３に伝達させることによって培土パネル２０の下方に設置した支持部材１１に排水する壁面緑化ユニットが開示されている（特許文献２の図１（ｂ）、図５、図９参照）。
【先行技術文献】
【特許文献】
【０００５】
【特許文献１】特開２０１４−１２８２２８号公報
【特許文献２】特開２０１３−１９２５１６号公報
【発明の概要】
【発明が解決しようとする課題】
【０００６】
しかしながら、特許文献１に記載の壁面緑化構造は、植栽基盤を軽量化することができるという利点はあるものの、上記のような構造となっていることから、２枚の保水材が保水する（抱き込む）水以外は上方から供給した水が下方に流れてしまう構造、すなわち水勾配が発生する構造となっているのである。つまり、特許文献１に記載の壁面緑化構造においては、保水材が常に水で保水されているように水を供給することが必要であり、水の供給を怠ると植物の乾燥による枯死が発生し、逆に水の供給が過剰になると根腐れが発生してしまうという課題があるのである。
【０００７】
また、特許文献１に示す壁面緑化構造においては、外側保水材１２６を突出させることで植物を植える部分を設ける構造となっていることから、切り込みを入れて突出させた部分の外側保水材１２６（特許文献１の図１の左方に張り出している外側保水材１２６）には水が保水されず、係る突出部分（植物が植栽されている部分）については内側保水材１２２によって保水されている水だけが植物の生育に使われることになってしまうという課題がある。なお、切れ目を入れて突出させた外側保水材１２６の上方に位置する外側保水材１２６には水が保水されることになるが、この場合においても水は上方に位置する外側保水材１２６内に保水されたままであることから、上方に位置する外側保水材１２６から水が突出部分に滴下することもなく、やはり突出部分（植物が植栽されている部分）については内側保水材１２２によって保水されている水だけが植物の生育に使われることになってしまうのである。
【０００８】
さらに、突出部分より下方に位置する外側保水材１２６については、内側保水材１２２と接触している部分から水が伝達されることによってのみ保水が行われることになることから、外側保水材１２６の保水状態に合わせて水を供給すると内側保水材１２２の保水状態が過剰になり、根腐れが発生し易くなってしまうという課題もあるのである。
【０００９】
一方、特許文献２に記載の壁面緑化ユニットについては、上方から供給した水が培土パネル２０を通過した後、支持部材１１内に集められる構造となっている。
従って、特許文献２の図５に示されているような形態を採用すれば、上段に位置する培土パネル２０からの排水が支持部材内を通過する際に、同排水を下段に位置する培土パネル２０の培土基盤２１に通過させることが可能となる。
【００１０】
しかしながら、特許文献２に記載の壁面緑化ユニットに用いられる支持部材１１はあくまでも排水を促す部材であり、また特許文献２の［００３１］にも記載されているとおり、培土パネル２０の底面部２２ｂは水勾配が設けられている構造となっている。
従って、特許文献２の図５の形態においても、下段に位置する培土パネル２０の下部（底部）が一時的に水によって濡れることはあっても、上段に位置する培土パネル２０からの排水によって下段に位置する培土パネル２０の全体が保水されるような構造とはなっておらず、特許文献１に記載の壁面緑化構造と同様に水勾配が発生する構造となっており、保水材が常に水を保水しているように上方から水を供給し続けることが必要となるのである。
【００１１】
以上のとおり、従前の壁面緑化装置においては、保水材を保水状態に保つように水を常時または一定の間隔で供給することが不可欠となっており、その結果、植物の乾燥や水勾配による枯死や水が溜まることによる根腐れを起こし易いという課題があるのである。
【００１２】
本発明は、上記した従来の問題点に鑑みてなされたものであって、軽量、薄型でありながら、壁面に施工しても植物の乾燥や水勾配による枯死や水が溜まることによる根腐れなどを起こすことなく良好な保水性を発現することができ、植物を良好な状態で維持することができる壁面緑化パネルの提供を目的とするものである。
また、水やりの頻度を少なくすることができる壁面緑化パネルの提供を目的とするものである。
さらに、施工中および施工後における土壌の飛散やパネル間における水漏れなど、従前の壁面緑化パネルにおいて発生する各種のトラブルを防止することができる壁面緑化パネルの提供を目的とするものである。
【課題を解決するための手段】
【００１３】
上記目的を達成するために、本発明の請求項１に係る壁面緑化パネルは、正面に開口を有する収納空間を設けた筐体部材と、正面に開口を有する植栽空間を設けた、収納空間に収納可能な植栽部材を備える壁面緑化パネルであって、筐体部材は、筐体部材の上部に水または／および養液を収納空間内に供給するための供給口を設けるとともに、収納空間の下部に水または／および養液を排出するための排出口を設けたものであり、植栽部材は、植栽部材の上部に、供給口から収納空間内に供給された水または／および養液を、植栽空間内に導入するための導入口を設けるとともに、植栽空間の下部に水または／および養液を貯留するための貯留部と貯留部からオーバーフローする水または／および養液を植栽空間の外に放出するための放出口を設けたものであることを特徴とする。
【００１４】
本発明の請求項２に係る壁面緑化パネルは、貯留部は、植栽部材の開口の下部に設けた板状部材と、植栽空間を構成する底面と側面と背面によって形成された、上方に開口を有する直方体の空間であることを特徴とする。
【００１５】
本発明の請求項３に係る壁面緑化パネルは、放出口を、植栽空間の背面に設けるとともに、放出口の下端部を板状部材の上端部よりも低い位置に設けたことを特徴とする。
【００１６】
本発明の請求項４に係る壁面緑化パネルは、筐体空間および植栽空間の背面に、通風孔を設けたことを特徴とする。
【００１７】
本発明の請求項５に係る壁面緑化パネルは、筐体部材の上部に、灌水ホースを設置する溝部を設けたことを特徴とする。
【００１８】
本発明の請求項６に係る壁面緑化パネルは、複数の植栽部材を、収納空間内に上下方向に多段に収納したことを特徴とする。
【００１９】
本発明の請求項７に係る壁面緑化パネルは、一の植栽部材の放出口から放出される水または／および養液が、一の植栽部材の下段に収納された他の植栽部材の導入口に導入されるように複数の植栽部材を収納空間内に上下方向に多段に収納したことを特徴とする。
【００２０】
本発明の請求項８に係る壁面緑化パネルは、さらに、植栽空間に吸水性を有する培地を設けたことを特徴とする。
【００２１】
本発明の請求項９に係る壁面緑化パネルは、培地は、植栽空間内に敷設し、かつ一部を貯留部内に挿入するように配置したものであることを特徴とする。
【００２２】
本発明の請求項１０に係る壁面緑化パネルは、培地は、植栽空間内において、導入口と貯留部との間に渡って敷設されていることを特徴とする。
【００２３】
本発明の請求項１１に係る壁面緑化パネルは、培地を、貯留部の開口を覆うように配置したことを特徴とする。
【００２４】
本発明の請求項１２に係る壁面緑化パネルは、培地は、通気性シートと吸水性シートの積層物であり、吸水性シートを内層に配置したものであることを特徴とする。
【００２５】
本発明の請求項１３に係る壁面緑化パネルは、培地の植物を植える部分に位置する吸水性シートを露出させたことを特徴とする。
【発明の効果】
【００２６】
本発明に係る壁面緑化パネルによれば特定の形態を有しているので以下に示す技術的効果を発現させることができる。また、特定の構造を有する培地を特定の形態で用いることによって、以下に示す技術的効果をより効率的に発現させることができる。
１）軽量、薄型でありながら良好な保水性を発現することができる。また、水やりの頻度を少なくすることができる。
２）植栽部内における水勾配を解消することができるので、植物の乾燥による枯死や水が溜まることによる根腐れを防止することができる。またパネル間における水漏れなどのトラブルを防止することができる。
３）植栽部材を筐体部材に収納することから、植栽部材が破損した場合や別の植物を植えたい場合でも当該植栽部材のみを交換するだけで済み、交換する部材の削減や作業性の向上を図ることができる。
４）専用苗ではなく、一般的に流通している３号ポット苗をそのまま植栽することができる。
５）軽量、薄型であることから、パネルを水平に置いた状態で植物を植栽して根付かせた後、施工する壁面（現場）に運搬して設置するような施工方法を採用することができる。従って、植物を枯らすことをより有効に防止しつつ、壁面の緑化を行うことができる。また、施工中および施工後の土壌の飛散も防止することができる。
６）施工してすぐに、ボリュームがあり見栄えの良い壁面の緑化を行うことができる。
７）植物を植栽して根付かせた状態で施工することができるため、工期や人員を削減することができる。
８）貯留部と保水マットにより水みちができ難く、各ポットを均一に湿らすことができる。
【００２７】
本発明の請求項２、３に係る壁面緑化パネルによれば、特定の形状の貯留部と放出口を備えることによって、上記１）、２）の効果をより向上させることができる。
【００２８】
本発明の請求項４に係る壁面緑化パネルによれば、通風孔を設けているので、根腐れの発生をより有効に防止することができる。また、本壁面側にファンなどの吸引もしくは送風装置を設けて、通気させた空気を植物および植栽空間内の培地や土壌によって浄化することができる。
【００２９】
本発明の請求項５に係る壁面緑化パネルによれば、筐体部材の上部に灌水ホースを設置する溝部を設けているので、施工が容易で、施工後も灌水ホースの交換が容易となる。また、パネル間に灌水ホースを設けるための隙間を設けなくて済むことから施工後の見栄えを良くすることができる。
【００３０】
本発明の請求項６、７に係る壁面緑化パネルによれば、植栽部材を上下方向に配置しているので、筐体部材および植栽部材の大きさを変更することで、施工する壁面に応じた壁面緑化パネルを容易に得ることができる。
【００３１】
本発明の請求項８、９に係る壁面緑化パネルによれば、吸水性を有する培地を植栽空間に設け、また培地を導入口と貯留部との間に渡るように敷設しているので、水勾配をより有効に解消することができる。
【００３２】
本発明の請求項１０、１１に係る壁面緑化パネルによれば、貯留部が空気と接触しないので、害虫などの発生を有効に防止することができる。
【００３３】
本発明の請求項１２、１３に係る壁面緑化パネルによれば、培地を特定の形態としているので、より保水性を向上させることができるとともに、より植物を根付かせることができる。
【図面の簡単な説明】
【００３４】
【図１】本発明に係る壁面緑化パネルの一の実施形態を示す斜視図である。
【図２】図１の壁面緑化パネルを構成する筐体部材を示す斜視図である。
【図３】図１の壁面緑化パネルを構成する植栽部材を示す斜視図である。
【図４】図１の壁面緑化パネルに用いるカバー部材を示す斜視図である。
【図５】図１の壁面緑化パネルに図４のカバー部材を取り付けた状態を示す斜視図である。
【図６】図５を上方から見た状態を示す平面図である。
【図７】図５を右方向から見た状態を示す側面図である。
【図８】図１の壁面緑化パネルの植栽部材（植栽空間）に培地を収納するとともに、灌水ホースを設置した状態を示す断面模式図である。
【図９】本発明に係る壁面緑化パネルの別の実施形態を示す斜視図である。
【図１０】図９の正面図である。
【図１１】図９の背面図である。
【図１２】図１０のＡ−Ａ‘断面模式図である。
【図１３】図１０をＢ矢印方向から見た拡大図である。
【図１４】図１０をＣ矢印方向から見た拡大図である。
【図１５】図９の壁面緑化パネルに培地を敷設する状態を示す模式図である。
【図１６】図９の壁面緑化パネルに培地を敷設した状態の断面模式図である。
【図１７】図９の壁面緑化パネルにカバー部材を装着した状態を示す斜視図である。
【図１８】図１７の正面図である。
【発明を実施するための形態】
【００３５】
本発明の実施形態を図面に基づいて説明する。なお、以下に述べる実施形態は本発明を具体化した一例に過ぎず、本発明の技術的範囲を限定するものでない。
図１は本発明に係る壁面緑化パネルの一の実施形態を示す斜視図であり、図２は図１の壁面緑化パネルを構成する筐体部材を示す斜視図であり、図３は図１の壁面緑化パネルを構成する植栽部材を示す斜視図であり、図４は図１の壁面緑化パネルに用いるカバー部材を示す斜視図であり、図５は図１の壁面緑化パネルに図５のカバー部材を取り付けた状態を示す斜視図であり、図６は図５を上方から見た状態を示す平面図であり、図７は図５を右方向から見た状態を示す側面図であり、図８は図１の壁面緑化パネルの植栽部材（植栽空間）に培地を収納するとともに、灌水ホースを設置した状態を示す断面模式図である。
【００３６】
（基本構成）
まず、本発明に係る壁面緑化パネル１は、図１〜３に示すように、筐体部材２と植栽部材３を主要部品としており、植栽部材３を筐体部材２の収納空間４に収納した構造となっている。
次に、筐体部材２および植栽部材３を説明する。
【００３７】
（筐体部材）
本発明に係る壁面緑化パネル１を構成する筐体部材２は、図２に示すように、枡形の構造となっているものであって、枡状となっていることによって正面に開口を有する直方体状の収納空間４を形成した構造となっているものである。
また、筐体部材２の上部には水または／および養液を収納空間４内に供給するための供給口５が設けられており、筐体部材２の下部には水または／および養液を排出するための排出口６が設けられている構造となっている。
さらに、筐体部材２の左右の側面には、後記する植栽部材３に設けた係止部１９と係止する係止孔７が設けられており、植栽部材３を収納した際に係止部１９が係止孔７に係止されることによって植栽部材３が収納空間４内に保持される構造となっている。
【００３８】
なお、本発明に用いられる筐体部材２は植栽部材３を収納することができる収納空間４を形成していればよく、強度を確保することができれば図２に示すように強度確保に必要な骨組み（骨格）だけにした形態とすることもできる。このような骨格だけの形態を採用すれば、壁面緑化パネル１自体の軽量化を行うことができるとともに、開いた部分を後記する通風孔８としても活用することができることから好適である。
【００３９】
（供給口）
供給口５の構造としては、筐体部材２の上方から収納空間４内に水または／および養液を供給することができ、供給された水または／および養液が収納空間４内（植栽部材３が収納された際には植栽空間１０内）において上方から下方に向かって流れる構造となるものであれば特に限定されるものではなく、各種の構造を採用することができる。
そして、各種の構造の中でも、図２に示すように、筐体部材２の上部を骨組み（骨格）だけにした形態とし、開いた部分を供給口５とする構造とすれば、水または／および養液を漏れなく、かつ万遍なく（偏りなく）収納空間４内（植栽部材３が収納された際には植栽空間１０内）に供給することができるので好適である。また、壁面緑化パネル１自体の軽量化も行うことができるので好適である。
【００４０】
（排出口）
排出口６の構造としては、収納空間４内（植栽部材３が収納された際には植栽空間１０内）において上方から下方に向かって流れてきた水または／および養液を筐体部材２の下方から筐体部材２の外に排出することができる構造であれば特に限定されるものではなく、各種の構造を採用することができる。
そして、各種の構造の中でも、図２に示すように、筐体部材２の底面の一部を背面とともに開口するような構造とすれば、上方から流れてきた水または／および養液を壁面緑化パネル１の正面方向に溢れさせることなく筐体部材２の背面側から外部に排出することができるので好適である。また、このような構造を採用すれば、壁面全体を覆うように壁面緑化パネル１を上下に多段に施工するような場合に、上段の壁面緑化パネル１の排出口６から排出された水または／および養液を、壁面緑化パネル１の正面方向に溢れさせることなく下段の壁面緑化パネル１の供給口５に供給し易くすることができるので好適である。
【００４１】
（溝部）
また、本発明に用いられる筐体部材２は、上部に供給口５が設けられていれば足りるものであるが、図２に示すように、溝部９を設ける構造とすれば、後記する灌水ホース３２等の灌水設備の施工を容易にすることができるとともに、施工後における灌水ホース３２等の灌水設備の交換を容易にすることができるので好適である。また、従前の壁面緑化パネルのように、施工後にパネル間に灌水ホース３２等の灌水設備を設けるための隙間を設けなくて済むことから施工後の見栄えを良くすることができることからも好適である。
【００４２】
（植栽部材）
本発明に係る壁面緑化パネル１を構成する植栽部材３は、収納空間４に収納可能なものであり、かつ植栽する植物や後記する培地２８を収納することができる植栽空間１０を形成した構造となっているものである。
なお、植栽部材３の構造としては、上記の構造を有しているものであれば特に限定されるものではなく各種の構造を採用することができるが、各種の構造の中でも、図３に示すように、４つの側面のうちの１つの側面（図３においては上方の側面）がない、上方と正面に開口を有する枡状とし、正面に開口を有する直方体状の植栽空間１０を形成した構造とすれば、花や観葉植物や芝生等、様々な植栽を行う際において柔軟に対応することができるので好適である。
また、植栽部材３の上部には供給口５から収納空間４内に供給された水または／および養液を、植栽空間１０内に導入するための導入口１１が設けられており、植栽空間１０の下部には水または／および養液を貯留するための貯留部１７と貯留部１７からオーバーフローする水または／および養液を植栽空間１０の外に放出するための放出口１８が設けられている構造となっている。このように本発明に係る壁面緑化パネル１は、植栽空間１０の下部に植栽空間１０内に供給された水または／および養液を貯留する貯留部１７を設けているので、後記する培地２８が貯留部１７から水または／および養液を吸い上げることによって絶えず保水することができることになり、植物の乾燥による枯死を有効に防止することができるのである。また、培地２８が貯留部１７から水または／および養液を吸い上げることによって保水することができることから、培地２８が適度な保水状態を維持することができ、導入口１１から頻繁に水または／および養液を導入（供給）する必要が無く、水やりの頻度を少なくすることができるのである。さらに、筐体部材２とは別に植栽部材３を収納空間４に収納する構造とすることによって、植栽部材３が破損した場合や別の植物を植えたい場合でも該当する植栽部材３のみを交換するだけで済むことから、交換する部材の削減や作業性の向上を図ることができるのである。
【００４３】
また、植栽部材３の左右の外側面には、前記した筐体部材２に設けた係止孔７と係止する係止部１９が設けられており、植栽部材３を収納した際に係止部１９が係止孔７に係止されることによって植栽部材３が収納空間４内に保持される構造となっている。
なお、係止部１９の構造としては、係止孔７に係止される構造であれば特に限定されるものではないが、図３に示すように、植栽部材３の左右の外側面に矩形状の係止板２０を突設するとともに、収納方向に向かって高さが低くなるように傾斜した側板２１を係止板２０の両端に係止板２０に直交するように連結する構造とすれば、植栽部材３をスムースに収納空間４に挿入することができるとともに、係止状態をより強固なものとすることができる（植栽部材３を収納空間４内により確実に保持することができる）ので好適である。
【００４４】
さらに、植栽部材３については、図１に示すように、収納空間４内において上下方向に多段に収納すれば、後記するように水または／および養液を上方から下方に流下させることによって、水または／および養液をより効率的に使用することができることになるので好適である。
【００４５】
なお、本発明に用いられる植栽部材３は植栽空間１０に後記する培地２８を収納することができる植栽空間１０を形成していればよいものであるが、図３に示すように、背面に通風孔２２を設ければ、壁面緑化パネル１自体の軽量化を行うことができるとともに、培地２８に対して空気の通過をより促進させることができ、根腐れの発生をより有効に防止することができるので好適である。
【００４６】
（導入口）
導入口１１の構造としては、収納空間４内に供給された水または／および養液を植栽空間１０に導入することができる構造であれば特に限定されるものではなく、各種の構造を採用することができる。そして、各種の構造の中でも、図３に示すように、上方と正面に横長の開口を有する形状とし、さらに係る形状の導入口１１を植栽部材３の上部で、かつ植栽部材３の背面よりもさらに後方に張り出した位置に設ける構造とすれば、供給口５から収納空間４内に供給された水または／および養液を漏れなく、かつ万遍なく（偏りなく）植栽空間１０内に供給することができるので好適である。また、導入口１１の構造を上記の構造とすれば、植栽部材３を収納空間４内に上下方向に多段に収納した場合に、上段に位置する植栽部材３（３ａ）の放出口１８から植栽空間１０（１０ａ）の外に放出されて流下した水または／および養液を、中段や下段に収納した植栽部材３（３ｂ、３ｃ）の導入口１１（１１ｂ、１１ｃ）が漏れなく回収することができることになり、水または／および養液をより効率的に使用することができることになるので好適である。
【００４７】
（貯留部）
貯留部１７の構造としては、植栽空間１０に導入された水または／および養液を貯留することができる構造であれば特に限定されるものではなく、各種の構造を採用することができる。
そして、各種の構造の中でも、図３に示すように、植栽部材３の前記開口の下部に設けた板状部材１２と、植栽空間１０を構成する底面１３と側面１４と背面１５によって形成された、上方に開口を有する直方体の空間構造１６とすれば、導入された水または／および養液を漏れなく貯留することができるので好適である。また、後記する培地２８を植栽空間１０内に設ければ、培地２８が貯留部１７から水または／および養液を吸い上げることによって絶えず保水することができることになり、水または／および養液を無駄にすることなく用いることができるので好適である。
【００４８】
（放出口）
放出口１８の構造としては、貯留部１７からオーバーフローする水または／および養液を植栽部材３の背面側から植栽部材３の外部（収納空間４）に放出することができる、すなわち、貯留部１７からオーバーフローする水または／および養液を正面方向に溢れさせないようにすることができる構造であれば特に限定されるものではなく、各種の構造を採用することができる。
そして、各種の構造の中でも、図３に示すように、横長の開口として、係る開口を植栽部材３の背面下部に設けた構造とすれば、貯留部１７からオーバーフローする水または／および養液を正面方向に溢れさせずに、少しずつ植栽部材３の背面側から植栽部材３の外部（収納空間４）に放出することができるので好適である。
なお、貯留部１７および放出口１８の構造として図３に示す構造を採用する場合は、貯留部１７からオーバーフローする水または／および養液を壁面緑化パネル１の正面方向に溢れさせないようにするために、後記する図８に示すように、放出口１８の開口の下端が貯留部１７を構成する板状部材１２の上端よりも低い位置とすることが好ましい。
さらに、放出口１８の構造として図３に示す横長の開口構造を採用する場合には、植栽部材３を上下方向に多段に収納した際に上段の植栽部材３ａの放出口１８から放出された水または／および養液を中段の植栽部材３ｂの導入口１１ｂや下段の植栽部材３ｃの導入口１１ｃに漏れなく導くために、放出口１８の横方向の開口長さを導入口１１の横方向の開口長さと同じとするかもしくは放出口１８の横方向の開口長さを導入口１１の横方向の開口長さよりも短くすることが好ましい。
【００４９】
（カバー部材）
また、本発明に係る壁面緑化パネル１には、植栽する植物に応じて、植物の脱落を防止するカバー部材２３を用いることができる。
具体的には、育苗ポットで育てた植物などを植栽するような場合には、図１〜３に示す筐体部材２と植栽部材３だけで壁面緑化パネル１を構成してしまうと、植栽空間１０内に植物が保持されず、脱落してしまうことになる。そこで、このような場合には、カバー部材２３を植栽部材３の前面を覆うように設置することによって、育苗ポットで育てた植物なども植栽空間１０内から脱落させることなく植栽することを可能にすることになる。
そして、このようなカバー部材としては、例えば図４に示すような、開口２４を有する植物の脱落を防止するポケット部２５を正面に複数個設けた構造となっているものが挙げられる。また、図４に示すカバー部材２３は、端部に係止部２６が設けられた構造となっており、係止部２６を筐体部材２の係止孔２７ａに係止するとともに、各ポケット部２５の背面の下部に設けた係止部（図示せず）を植栽部材３の係止孔２７ｂに係止することによって図５〜７に示す壁面緑化パネル１ａとすることになる。
【００５０】
（通風孔）
上記したとおり、筐体部材２および植栽部材３には、通風孔８、２２を設けることができる。なお、通風孔８、２２の形状、数については特に限定されるものではないが、図１〜３に示すように、筐体部材２および植栽部材３の背面に複数設ける形態とすれば、空気の通過をより促進させることができ、根腐れの発生をより有効に防止することができるので好適である。
また、壁面緑化パネル１の背面側にファンなどの吸引装置を設けて、外部の空気を吸引して壁面緑化パネル１の正面から背面に空気を通過させるようにすれば、壁面緑化を行いつつ、植栽部材３内に植栽した植物、土壌、後記する培地などによって外部の空気を浄化することもできる。
【００５１】
（培地）
本発明に係る壁面緑化パネル１は、植栽空間１０内に培地２８を敷設し、係る培地２８に植物を植栽して用いることができる。ここで、このような培地２８は、図８に示すように、植栽空間１０内に敷設されるとともにその一部（図８においては培地２８の下端部）を貯留部１７内に挿入するようにして配置することができる。
このように本発明に係る壁面緑化パネル１は、培地２８を植栽空間１０内において特定の形態で配置することができるので、［００４７］において記載したとおり、培地２８が貯留部１７から水または／および養液を吸い上げることによって保水することができ、培地２８が適度な保水状態を維持することができるのである。また、培地２８の植栽空間１０内における敷設の形態については、上記の形態に加えて図８に示すように、導入口１１と植栽空間１０との間に渡って敷設する形態を採用すれば、貯留部１７から吸い上げられる水または／および養液だけでなく、導入口１１から導入（供給）される水または／および養液も保水させることができるので好適である。
【００５２】
（通気性シート、吸水性シート）
培地２８の素材や形状については、保水性があり、植物が根を張ることができるものであれば特に限定されるものではなく、各種の材質のものを用いることができる。具体的には、吸水性樹脂を主成分とした吸水性シート２９や、フェルトやスポンジなどを用いた通気性シート３０などを挙げることができる。また、これらの吸水性シート２９や通気性シート３０は単独で用いることも複数で用いることも併用することもできる。そして各種の材質や形態の中でも、１）培地が水受け部から水または／および養液を吸い上げ易くなること、２）水勾配をより有効に解消できること、３）水受け部が空気と接触することを防止できることなどの点から、図８に示すように、吸水性シート２９を内層に配置した吸水性シート２９と通気性シート３０との積層物３１を用いることが好ましい。
このように吸水性シート２９を内層に配置することによって、培地２８の一部を貯留部１７内に挿入した際に培地２８が貯留部１７から水または／および養液を吸い上げ易くなるのである。また、係る吸水性シート２９を通気性シート３０で挟むことによって、吸水性シート２９内の水分が通気性シート３０を通じて適度に蒸発して吸水性シート２９が貯留部１７から新たな水または／および養液を吸い上げることになることから、常に新鮮な水または／および養液が培地２８内に保持されることになり、特許文献１や特許文献２のような水勾配の発生をより有効に防止することができることになるのである。
【００５３】
なお、培地２８に吸水性シート２９と通気性シート３０の積層物３１を用いる場合には、図８に示すように、吸水性シート２９と通気性シート３０の積層物３１を貯留部１７の開口を覆うように配置すれば、貯留部１７の水または／および養液が空気と接触しにくくなり、害虫などの発生を有効に防止することができるので好適である。また、図８の上段および中段の植栽空間１０ａ、１０ｂに示すように、吸水性シート２９の下端部を水または／および養液に浸漬させるように吸水性シート２９と通気性シート３０の積層物３１を配置すれば、効率よく貯留部１７内の水または／および養液を吸収することができるので好適である。さらに、図８の下段の植栽空間１０ｃに示すように、貯留部１７の開口を吸水性シート２９と通気性シート３０の積層物３１で覆うだけでなく、吸水性シート２９の下端部を折り曲げて貯留部１７の開口を覆うようにしつつ、水または／および養液に浸漬させるように配置すれば、害虫などの発生を有効に防止しつつ、貯留部１７内の水または／および養液をより効率よく吸収しやすくすることができるので好適である。
【００５４】
さらに、培地２８に吸水性シート２９と通気性シート３０の積層物３１を用いる場合には、後記する図１５の上段の植栽空間１０に示すように、植物を植える部分に位置する吸水性シート２９を露出させる形態（図１５においては植物を植える部分に位置する最前面層の通気性シート３０をくり抜き、吸水性シート２９を円形状に露出させる形態）とすれば、植栽した植物の根がより水または／および養液を吸収しやすくなるので好適である。
【００５５】
なお、培地２８に吸水性シート２９と通気性シート３０の積層物３１を用いる場合においても、材質や形態については植物が根を張ることができるものであれば特に限定されるものではなく、各種の材質のものを用いることができるが、吸水性シート２９に吸水性樹脂を主成分とする吸水シートを、通気性シート３０にフェルトやスポンジなどを用いれば、上記１）〜３）の効果をより効果的に発現させることができるので好適である。また、積層する形態を採用する場合には、図８に示す３層構造だけでなく、２層以上の各種の積層構造を採用することもできる。
【００５６】
次に、上記のように構成された壁面緑化パネル１（１ａ）の動作（施工方法）および作用を説明する。図８は図１の壁面緑化パネルの植栽部材に培地を収納するとともに、灌水ホースを設置した状態を示す断面図である。
【００５７】
まず、筐体部材２の係止孔７に植栽部材３の係止部１９を係止することによって、図１に示すように、筐体部材２の収納空間４に植栽部材３を収納（図１においては上下方向に３段となるように収納）し、壁面緑化パネル１とする。
【００５８】
次に、植栽空間１０内に培地２８を敷設する。この際、［００５１］〜［００５４］や図８に記載した形態となるように培地２８を敷設すると好適である。
【００５９】
次に、カバー部材２３の係止部２６を筐体部材２の係止孔２７ａに係止するとともに、各ポケット部２５の背面の下部に設けた係止部（図示せず）を植栽部材３の係止孔２７ｂに係止することによって、図５に示すように、カバー部材２３を植栽部材３の前面を覆うように設置し、壁面緑化パネル１（１ａ）とする。
【００６０】
次に、育苗ポットで育てた植物を育苗ポットから抜き取り、その状態のままポケット部２５内に挿入することによって植栽を行う。
【００６１】
次に、カバー部材２３を設置した壁面緑化パネル１を緑化したい壁面に施工し、筐体部材２の溝部９に灌水ホース３２などの灌水設備を施工する。
【００６２】
最後に、全ての植栽部材３の貯留部１７に水または／および養液が貯留されるように供給口５から水または／および養液を供給することによって壁面緑化作業（施工作業）を完了する。なお、必要に応じて、供給口５から水または／および養液を適宜供給することによって植物の育成を行う。
なお、植栽する植物に脱落の心配がない場合や、壁面緑化パネル１を寝かせた状態で予め培地２８上で植物の育苗を行ってから（培地２８などに根が張るまで植物の育苗を行ってから）壁面に施工する場合などにおいては、係るカバー部材２３の使用を省略することもできる。
【００６３】
さらに、本発明に係る壁面緑化パネル１の動作（施工方法）は上記に限定されるものでなく、例えば、芝草など根が張りやすい植物で壁面緑化を行いたい場合には、壁面緑化パネル１を寝かせた状態で植栽部材３（植栽空間１０）にまず通気性シート３０を敷設し、その上に芝草を育苗したマット状の芝生などを敷設してそのままの状態で水または／および養液を与えて育成を行い、芝草の根が通気性シート３０に根付いた時点で壁面に施工する方法を採用することもできる。
【００６４】
（別の実施形態）
次に、本発明に係る壁面緑化パネルの別の実施形態を説明する。本実施形態は、筐体部材２と植栽部材３が一体化した形態（図１の状態の形態を一体成型によって作製したもの）であり、上部に水または／および養液などを供給するための供給口５と、正面に植物を植えるための植栽空間１０を有する構造となっている。以下、詳細を説明する。
図９は本発明に係る壁面緑化パネルの別の実施形態を示す斜視図であり、図１０は図９の正面図であり、図１１は図９の背面図であり、図１２は図１０のＡ−Ａ‘断面模式図であり、図１３は図１０をＢ矢印方向から見た拡大図であり、図１４は図１０をＣ矢印方向から見た拡大図であり、図１５は図９の壁面緑化パネルに培地を敷設する状態を示す模式図であり、図１６は図９の壁面緑化パネルに培地を敷設した状態の断面模式図である。
【００６５】
（基本構成）
まず、本発明に係る壁面緑化パネル１（１ｂ）は、図９〜１２に示すように、上部に設けた水または／および養液などを供給するための供給口５と、植物を植えるための植栽空間１０を正面に有する構造となっているものであり、具体的には、図２の筐体部材２の収納空間４の中に植栽空間１０を設けた（図９においては、上下に３段となるように設けた）構造となっているものである。
次に、各部位について説明する。
【００６６】
（供給口）
本実施形態における供給口５は、図９〜１２に示すとおり、壁面緑化パネル１の上端部全体に開口を設けたものであり、図１２に示すように断面視凹状の樋型構造をしたものとなっている。なお、水または／および養液などを植栽空間１０に供給できる形状であれば特に限定されるものではなく、上端部の一部のみを開口した形状などを採用することもできる。
【００６７】
（植栽空間）
本実施形態における植栽空間１０は、図９〜１２に示すとおり、植栽空間１０が正面部分の略全面が開口されている直方体状の空間構造となっている。なお、植物を植栽できる開口および空間構造を有するものであればこれに限られるものではなく、開口を設けた円筒状や角筒状など各種の空間構造を採用することができる。
【００６８】
また、植栽空間１０については、図９〜１２においては、上下に３段となるように設けられているが、植栽空間の数や設置形態については特に限定されるものではなく、各種の形態を採用することができる。なお、図９〜１２に示すように、上下方向に多段に配置すれば上部から供給した水または／および養液を上段の植栽空間１０から下段の植栽空間１０へ順番に供給することができ、水または／および養液を効率的に活用することができるので好適である。
【００６９】
（導入口、貯留部、放出口）
植栽空間１０には上部に水または／および養液を植栽空間１０内に導入するための導入口１１と、下部に水または／および養液を貯留するための貯留部１７と、貯留部１７からオーバーフローする水または／および養液を排出するための放出口１８を設けた構造となっている。
【００７０】
なお、導入口１１の構造については、水または／および養液を植栽空間１０に導入（供給）することができる構造を有するものであれば特に限定されるものではなく、各種の形状、構造を採用することができるが、図９〜１３に示すように導入口１１を長方形状の開口として植栽空間１０の奥面に設ける構造とすれば、培地２８に対して上方から万遍なく水または／および養液を導入（供給）することができるので好適である。
【００７１】
また、貯留部１７の構造についても、導入口１１から導入（供給）した水または／および養液を貯留することができる構造であれば特に限定されるものではなく、各種の形状、構造を採用することができるが、図９〜１２および図１４に示すように、断面視が凹状の樋型構造とすれば上方から流れ落ちてくる水または／および養液をもれなく受け止めて貯留することができるので好適である。
【００７２】
さらに、放出口１８の構造についても、貯留部１７からオーバーフローする水または／および養液を排出することができる構造であれば特に限定されるものではなく、各種の形状、構造を採用することができるが、図９〜１２および図１４に示すように、排出口６の下端の位置が貯留部１７の上端の位置以下となる構造とすれば貯留部１７から壁面緑化パネル１の正面方向にオーバーフローする前に水または／および養液を排水することができるので好適である。
【００７３】
（第１配水経路、第２配水経路）
本実施形態においては、筐体部材２と植栽部材３が一体化した形態となっていることから、図１〜８に示す壁面緑化パネル１とは異なり、植栽空間１０の背面には供給口５と複数の植栽空間１０の内の一の植栽空間１０の導入口１１（図９〜１２に示す壁面緑化パネル１においては最上段に位置する植栽空間１０ａの導入口１１ａ）を繋ぐ第１配水経路３３と、植栽空間１０の排出口６と他の植栽空間１０の導入口１１とを繋ぐ第２配水経路３４とが設けられている構造となっている。このように本実施形態に係る壁面緑化パネル１は、第１配水経路３３と第２配水経路３４を設けているので、１箇所に設けた供給口５から供給した水または／および養液を無駄にすることなく壁面緑化パネル１内の全ての植栽空間１０に供給することができるのである。また、水または／および養液を効率よく使用することができるので、この点からも水やりの頻度も少なくすることができるのである。
なお、図９〜１２に示す壁面緑化パネル１（１ｂ）においては、最下段に位置する植栽空間１０ｃの排出口６から壁面緑化パネル１（１ｂ）の外部に排出される構造となっているが、複数の壁面緑化パネル１（１ｂ）を上下に連結すれば、上方に施工した壁面緑化パネル１（１ｂ）の排出口６とその下方に施工した壁面緑化パネル１（１ｂ）の供給口５とを連結させることができ、水または／および養液をより効率的に使用することができることになる。
【００７４】
第１配水経路３３の構造については、供給口５に供給された水または／および養液を導入口１１に配水することができる構造であれば特に限定されるものではなく、各種の形状、構造を採用することができる。そしてその中でも、図９〜１２に示すように、供給口５の底部の一部に連通した溝構造（供給口５の底部の一部がさらに掘られた溝構造）、すなわち供給口５と第１配水経路３３とによって断面視が略逆Ｌ字状の樋型構造が形成された構造として、係る構造を有する第１配水経路３３の植栽空間１０側の一の端部に長方形の導入口１１を開口する構造とすれば、供給口５に供給された水または／および養液を万遍なく導入口１１を通じて植栽空間１０内に導入（供給）することができるので好適である。
【００７５】
第２配水経路３４の構造についても、貯留部１７からオーバーフローして排出口６から溢れ出た水または／および養液を他の植栽空間１０の導入口１１に配水することができる構造を有するものであれば特に限定されるものではなく、各種の形状、構造を採用することができる。そしてその中でも、図９〜１３に示すように、排出口６の開口全部と導入口１１の開口全部を繋ぐ、断面視が略コの字状の経路とすれば、排出口６から溢れ出た水または／および養液をもれなく他の植栽空間１０の導入口１１に配水することができるので好適である。
【００７６】
次に、上記のように構成された壁面緑化パネル１の動作（施工方法）および作用を説明する。
図１５は本実施形態の壁面緑化パネルに培地を敷設する状態を示す模式図であり、図１６は図１５の壁面緑化パネルに培地を敷設した状態の断面模式図であり、図１７は図１５の壁面緑化パネルにカバー部材を装着した状態を示す斜視図であり、図１８は図１７の正面図である。
【００７７】
まず、本実施形態に係る壁面緑化パネル１（１ｂ）の植栽空間１０に培地２８を敷設する。この際、［００５１］〜［００５４］や図１５、１６に記載した形態となるように培地２８を敷設すると好適である。
【００７８】
次に、壁面緑化パネル１正面の枠部３５にカバー部材２３をビス止めなどの方法によって設置し、壁面緑化パネル１（１ｃ）とする。またこの際、培地２８の植物を植える部分に位置する吸水性シート２９を露出させる形態（［００５４］に記載しているような、植物を植える部分に位置する最前面層の通気性シート３０をくり抜き、吸水性シート２９を円形状に露出させる形態）を採用している場合には、係る露出部分にカバー部材２３の開口２４が位置するようにカバー部材２３を設置する。
ここで図１７、１８に示すカバー部材２３ａは、逆Ｔ字状の切り込みを入れたシート３６を設けた開口２４を有するポケット部２５を正面に複数個設けた構造となっているものであり、開口２４部分に逆Ｔ字状の切り込みを入れたシート３６を設けていることによって植物や土壌の脱落をさらに防止した構造となっているものである。
なお、植栽する植物に脱落の心配がない場合や予め培地２８上で植物の育苗を行ってから壁面に施工する場合などにおいては係るカバー部材２３は不要である。
【００７９】
次に、カバー部材２３を設置した壁面緑化パネル１（１ｃ）を緑化したい壁面に施工し、育苗ポットで育てた植物を育苗ポットから抜き取り、その状態のままポケット部２５内に挿入することによって植栽を行う。
【００８０】
最後に、全ての植栽空間１０の貯留部１７に水または／および養液が貯留されるように供給口５から水または／および養液を供給することによって壁面緑化作業（施工作業）を完了する。なお、必要に応じて、供給口５から水または／および養液を適宜供給することによって植物の育成を行う。
【００８１】
なお、本実施形態に係る壁面緑化パネル１の動作（施工方法）は上記に限定されるものでなく、例えば、芝草など根が張りやすい植物で壁面緑化を行いたい場合には、壁面緑化パネル１を寝かせた状態で植栽空間１０にまず通気性シート３０を敷設し、その上に芝草を育苗したマット状の芝生などを敷設してそのままの状態で水または／および養液を与えて育成を行い、芝草の根が通気性シート３０に根付いた時点で壁面に施工する方法を採用することもできる。
【００８２】
以上のとおり、本発明に係る壁面緑化パネルを用いれば、軽量、薄型でありながら良好な保水性を発現することができ、水やりの頻度を少なくすることができる。また、植栽部内における水勾配を解消することができ、植物の乾燥による枯死や水が溜まることによる根腐れを防止することができる。さらに、［００２６］〜［００３３］に記載のとおり、様々な技術的効果を発現させることができる。
【産業上の利用可能性】
【００８３】
本発明は壁面緑化に用いることができる。
【符号の説明】
【００８４】
１    壁面緑化パネル
１ａ    壁面緑化パネル
１ｂ    壁面緑化パネル
１ｃ    壁面緑化パネル
２    筐体部材
３    植栽部材
３ａ    植栽部材
３ｂ    植栽部材
３ｃ    植栽部材
４    収納空間
５    供給口
６    排出口
７    係止孔
８    通風孔
９    溝部
１０  植栽空間
１０ａ  植栽空間
１０ｂ  植栽空間
１０ｃ  植栽空間
１１  導入口
１１ａ  導入口
１１ｂ  導入口
１１ｃ  導入口
１２  板状部材
１３  底面
１４  側面
１５  背面
１６  直方体の空間構造
１７  貯留部
１８  放出口
１９  係止部
２０  係止板
２１  側板
２２  通風孔
２３  カバー部材
２３ａ  カバー部材
２４  開口
２５  ポケット部
２６  係止部
２７  係止孔
２７ａ  係止孔
２７ｂ  係止孔
２８  培地
２９  吸水性シート
３０  通気性シート
３１  吸水性シートと通気性シートの積層物
３２  灌水ホース
３３  第１配水経路
３４  第２配水経路
３５  枠部
３６  シート
【図１】
2019083824.tif 000003
【図２】
2019083824.tif 000004
【図３】
2019083824.tif 000005
【図４】
2019083824.tif 000006
【図５】
2019083824.tif 000007
【図６】
2019083824.tif 000008
【図７】
2019083824.tif 000009
【図８】
2019083824.tif 000010
【図９】
2019083824.tif 000011
【図１０】
2019083824.tif 000012
【図１１】
2019083824.tif 000013
【図１２】
2019083824.tif 000014
【図１３】
2019083824.tif 000015
【図１４】
2019083824.tif 000016
【図１５】
2019083824.tif 000017
【図１６】
2019083824.tif 000018
【図１７】
2019083824.tif 000019
【図１８】
2019083824.tif 000020